(57)【特許請求の範囲】
【請求項１】
前面に開口が形成された断熱筐体のケース本体と、前記ケース本体の内部の商品貯蔵室に上下方向に沿って複数段設けられ、かつ収納対象である商品を載置する商品載置棚と、空気を循環させる循環手段と、前記空気循環手段により循環される空気を冷却する蒸発器と、前方に商品取出口が前扉により開放、あるいは閉塞され、かつ後方側に開口となる後方開口部が形成された箱状からなり、商品載置棚に載置された収納ボックスとを備え、前記商品載置棚に載置された商品を所望の温度状態に保持するようにしたショーケースにおいて、前記収納ボックスの後端部に商品載置棚の奥行きに合わせて移動可能な補助収納部を設け、前記補助収納部は、上面開放の略コ字形を成し、収納ボックスの側板の後端下部を支軸として回動可能に設けたことを特徴とするショーケース。
【発明の詳細な説明】
【技術分野】
【０００１】
本発明は、収納対象となる商品を所望の温度状態に保持するようにしたショーケースに関する。
【背景技術】
【０００２】
図５は、ショーケースの内部構造を側方から見た場合を示す概略側面図である。
図５において、断熱壁からなるショーケース本体１と内箱２との間に、底部は共通の空気循環ダクト３を、背面および天井部は内外２層の空気循環ダクトとしてインナーダクト３ａ及びアウターダクト３ｂを形成し、底部に送風ファン４が共通に設置されるとともに、インナーダクト３ａには蒸発器５が設置されている。この蒸発器５は、図示しないが、圧縮機、凝縮器及び膨張弁とともに冷媒を循環させる冷媒循環手段を構成する。
【０００３】
一方、内箱２の内部は商品貯蔵室６を形成してなり、商品載置棚６ａ〜６ｆが上下方向に沿って複数段（図示の例では６つ）設置され、最下段の商品載置棚６ｆの下方には商品載置棚として作用するデッキ６ｇが設けられている。
【０００４】
上記オープンショーケースは送風ファン４の運転により、商品貯蔵室６の周囲を矢印で示すように空気が循環し、その際、インナーダクト３ａの空気は蒸発器５を通過して冷却される。この冷気は、インナーダクト３ａの上端部の冷気吹出口７ａから吹き出され、下端部の吸込口８から吸い込まれて、商品貯蔵室７の前面開口部に上から下に向かう冷気エアカーテンを形成する。同様に、アウターダクト３ｂの非冷空気は、上端部の非冷空気吹出口７ｂから吹き出され、下端部の吸込口８から吸い込まれて、冷気エアカーテンの庫外側に、上から下に向かう非冷空気エアカーテンを形成して、商品貯蔵室６を冷却する。
【０００５】
上記ショーケースは、上記構成の他に収納ボックス１０及び冷気導入手段２０を備えている。
収納ボックス１０（１０ａ）は、複数（図示の例では２つ）あり、１つは最下段の商品載置棚６ｆに載置し、もう１つは最下段の商品載置棚６ｆの下方にあるデッキ６ｇに載置してある。
【０００６】
商品載置棚６ｆに載置された収納ボックス１０は、前後長さが商品載置棚６ｆの前後の長さに略一致しており、その前端が商品載置棚６ｆの前端に略一致している。この収納ボックス１０は、前方に商品取出口１１、後方側に後方開口部１２が形成された箱状とし、透明な樹脂材から形成された底板１３、前板、天板及び側板を備えている。この底板１３の前後の長さが最下段の商品載置棚６ｆの前後の長さに略一致している。
【０００７】
また、デッキ６ｇに載置された収納ボックス１０ａは、前後の長さがデッキ６ｇの前後の長さに略一致し、その前端がデッキ６ｇの前端に略一致しており、その構成は、収納ボックス１０と同様構成である。
【０００８】
次に、冷気導入手段２０は、冷気導入路２１及び冷気導入孔２２を備えたものである。冷気導入路２０は、内層ダクト３における蒸発器５の前方側に、背面パネル２ａ、蒸発器５の前面及び遮蔽板３１により画成されたものである。ここで背面パネル２ｂは内箱２を形成する商品貯蔵室６の背面を構成するパネルである。冷気導入孔２２は、背面パネル２ｂに複数形成された孔であり、冷気導入路２１と商品貯蔵室６とを連通させるものである。これら冷気導入孔２２は、最下段の商品載置棚６ｆの上方域及びデッキ８ｇの上方域に設けられている。
【０００９】
この構成において、蒸発器５を通過した冷気の一部が冷気導入手段２１を通じて商品貯蔵室６の内部に導入され、かつ収納ボックス１０，１０ａが半密閉状態になっていることにより、収納ボックス１０，１０ａの内部は局所的に冷却され、内部温度を開放されている商品載置棚６ａ〜６ｅより低い温度帯にすることができる。
【００１０】
このように、商品載置棚６ｆ、デッキ６ｇに載置された収納ボックス１０，１０ａについて、収納ボックス１０の前後の長さは商品載置棚６ｆの前後の長さに略一致し、また、デッキ６ｇに載置された収納ボックス１０ａの前後の長さはデッキ６ｇの前後の長さに略一致している（例えば、特許文献１参照）。
【先行技術文献】
【特許文献】
【００１１】
【特許文献１】特開２００９−２１９６２１号公報
【発明の概要】
【発明が解決しようとする課題】
【００１２】
ところで、前記特許文献１のショーケースに示すように、商品載置棚６ｆとデッキ６ｇでは前後の長さが異なっており、前記収納ボックスを商品載置棚およびデッキの前後の長さに合わせて用意する必要があるため、収納ボックスを複数種類必要となり、コストの増大化のおそれがある。
【００１３】
また、収納ボックスを商品載置棚あるいはデッキのいずれか一方のみ良い場合には、予め２つの収納ボックスが用意してある場合、他方の収納ボックスを別の場所に保管する必要があり、保管場所の確保が必要であった。
【００１４】
本発明は、上記課題に鑑みて、既存のショーケースに載置する収納ボックスの種類を減らして共通化を図り、収納ボックスを商品載置棚及びデッキに自由に載置できるショーケースを提供することを目的とする。
【課題を解決するための手段】
【００１５】
上記目的を達成するために、本発明に係るショーケースは、前面に開口が形成された断熱筐体のケース本体と、前記ケース本体の内部の商品貯蔵室に上下方向に沿って複数段設けられ、かつ収納対象である商品を載置する商品載置棚と、かつ収納対象である商品を載置する商品載置棚と、空気を循環させる循環手段と、前記空気循環手段により循環される空気を冷却する蒸発器と、前方に商品取出口が前扉により開放、あるいは閉塞され、かつ後方側に開口となる後方開口部が形成された箱状からなり、商品載置棚に載置された収納ボックスとを備え、前記商品載置棚に載置された商品を所望の温度状態に保持するようにしたショーケースにおいて、前記収納ボックスの後端部に商品載置棚の奥行きに合わせて移動可能な補助収納部を設け、前記補助収納部は、上面開放の略コ字形を成し、上面開放の略コ字形を成し、収納ボックスの側板の後端下部を支軸として回動可能に設けたことを特徴とする。
【発明の効果】
【００１７】
本発明によれば、商品載置棚に設置される収納ボックスの後端部に商品載置棚の奥行き（前後の長さ）に合わせて前後に移動可能な補助収納部を設けたことにより、一つの収納ボックスで、種々の奥行きに対応させて商品載置棚に設置可能となるため、店側にて設置したい棚位置に変更可能なり、収納ボックスの種類を削減できる。
【図面の簡単な説明】
【００１８】
【図１】本発明の実施の形態を示すショーケースの内部構造を側方から見た場合を示す概略側面図である。
【図２】図１に示した収納ボックスの側面図であり、（ａ）は補助収納部を引出した状態を示す側面図で、（ｂ）は補助収納部を収納した状態を示す側面図である。
【図３】図２に示した収納ボックスを示す斜視図であり、（ａ）は補助収納部を引出した状態を示す斜視図で、（ｂ）は補助収納部を収納した状態を示す斜視図である。
【図４】本発明の他の収納ボックスを示す側面図であり、（ａ）は補助収納部を引出した状態を示す側面図で、（ｂ）は補助収納部を収納した状態を示す側面図である。
【図５】従来のショーケースの内部構造を側方から見た場合を示す概略側面図である。
【発明を実施するための形態】
【００１９】
以下に図１ないし図４を参照して、本発明に係るショーケースの好適な実施の形態について詳細に説明する。なお、図５と同一部材は、同一符号を付して説明を省略する。
図1において、断熱壁からなるショーケース本体１と内箱２との間に、底部は共通の空気循環ダクト３を、背面および天井部は内外２層の空気循環ダクトとしてインナーダクト３ａ及びアウターダクト３ｂを形成し、底部に送風ファン４が共通に設置されるとともに、インナーダクト３ａには蒸発器５が設置されている。この蒸発器５は、図示しないが、圧縮機、凝縮器及び膨張弁とともに冷媒を循環させる冷媒循環手段を構成する。
【００２０】
一方、内箱２の内部は商品貯蔵室６を形成してなり、商品載置棚６ａ〜６ｆが上下方向に沿って複数段（図示の例では６つ）設置され、最下段の商品載置棚６ｆの下方には商品載置棚として作用するデッキ６ｇが設けられている。
【００２１】
この商品載置棚６ａ〜６ｆおよびデッキ６ｇに載置可能な共通の収納ボックス１００を設けてある。
内箱２の背面パネル２ａには、複数の孔を設けて冷気導入孔２２を形成し、内層ダクト３ａにおける蒸発器５の前方側に、背面パネル２ａ、蒸発器５の前面及び遮蔽板３１により冷気導入孔２２に冷気を導く冷気導入路２１を形成し、商品貯蔵室６に冷気を導くように構成してある。
【００２２】
この収納ボックス１００は、前方側に商品取出口１０１、後方側に後方開口部１０２を形成した箱体からなり、より詳細には、透明な樹脂材から形成された底板１０３、前板１０４、天板１０５及び側板１０６を備えて構成する。
【００２３】
この商品取出口１０１には、左右開きの前扉１０１ａを有し、前板１０４、天板１０５との間にレールを設け、支持されている。また、底板１０３の前後の長さは、本実施形態の場合、商品載置棚６ｆの前後の長さに合わせて形成されている。
【００２４】
この収納ボックス１００の後端部に前後に移動可能に配置し、収納ボックス１００の前後方向の長さを可変可能な補助収納部１１０を備えている。
この補助収納部１１０は、底板１１１、側板１１２からなり、上面開放の略コ字形を成し、両側板１１２の下部および側板と重なり合っている底板１１１に前後方向に長孔１１２ａを配設している。
【００２５】
また、収納ボックス１００の側板１０６には、その後方下部にピン１０６ａを外側から内側に向けて取り付けてなり、このピン１０６ａを介して補助収納部１１０の長孔１１２ａと嵌り合い、補助収納部１１０は、前後方向の移動方式としてスライド可能に案内される。
【００２６】
補助収納部１１０は、長孔１１２ａの前後の長さの範囲で前後に移動可能となり、収納ボックス１００の側板１０６に設けてあるピン１０６ａが補助収納部１１０の前後方向移動のストッパとして作用する。
【００２７】
この補助収納部の底板１１１は、収納ボックス１００の底部１０３と重なり合うように配置され、補助収納部１１０を後方へ引き出した状態では、最大前後長の商品載置棚、デッキに合わせた長さとなり、かつ、引き出した状態においても、補助収納部１１０の底板１１１と収納ボックス１００の底部１０３とは重なり合う状態で保持される。
【００２８】
この構成において、図１に示すように、収納ボックス１００をデッキ６ｇ上に載置する場合には、補助収納部１１０をスライドさせ、収納ボックス１００から後方へ引き出して、収納ボックス１００と補助収納部１１０との前後の長さをデッキ６ｇの前後の長さに合わせて、デッキ６ｇに載置する。
【００２９】
また、収納ボックス１００を商品載置棚６ｆ上に載置する場合には、補助収納部１１０を前方へ押し込み、収納ボックス１００内に格納して、収納ボックス１００の前後の長さを商品載置棚６ｆの前後の長さに合わせて、商品載置棚６ｆに載置する。
【００３０】
このように、商品載置棚６ａ〜６ｆ及びデッキ６ｇの奥行き（前後の長さ）に応じて、収納ボックス１００の補助収納部１１０をスライドさせて、載置すればよい。
そこで、この載置した収納ボックス１００は、商品取出口１０１が前扉１０１ａにより閉塞される場合において、冷気導入手段２０により蒸発器５を通過した空気の一部が後方開口部を通じて内部に流入され、流入された空気を該後方開口部を通じて流出させ、冷気導入手段２０により導入された空気の一部とともに該収納ボックス１００の上方域を前方に向けて通過させるので、収納ボックス１００の内部を半密閉状態にして局所的に冷却することができる。しかも、収納ボックス１００を商品載置棚６ｆに載置すれば良いだけなので、既存のショーケースにも簡単に適用できる。従って、既存のショーケースを活用しながら、商品貯蔵室６に局所的に冷却可能な箇所を設けることが可能となる。
【００３１】
なお、図１において、便宜上、デッキ６ｇと商品載置棚６ｆとの２箇所に載置した例を提示したが、１つの収納ボックスのみの設置、あるいは他の商品載置棚へ収納ボックスを載置してもよく、その場合には、各棚位置に対応させて冷気導入孔を設ける必要がある。
【００３２】
また、商品載置棚毎に前後の長さが異なる場合、補助収納部を収納ボックスに格納した状態で、一番前後長の短い棚に合わせ、補助収納部を引き出した状態では、一番前後長の長いデッキに合わせるように収納ボックスと補助収納部との位置決めを行うようにすればよい。
【００３３】
さらに、ピン１０６ａを用いたが、ピン１０６ａに限るものではなく、ねじなど、長孔１１２ａと嵌り合い、補助収納部１１０がスライド可能となればよい。
次に、補助収納部１１０について、移動方式として、スライド方式ではなく、回動方式の例について説明する。
【００３４】
図４に示すように、収納ボックス２００は、前方に商品取出口２０１、後方側に後方開口部２０２が形成された箱体からなり、より詳細には、透明な樹脂材から形成された底板２０３、前板２０４、天板２０５及び側板２０６を備え、底板２０３の前後の長さは、商品載置棚６ｆの前後の長さに合わせて形成されている。
【００３５】
次に、補助収納部２１０は、底板２１１、側板２１２からなり、両側板２１２の前方下部に孔２１２ａを設けている。
一方、収納ボックス２００の側板２０６の後端下部にピン２０６ａを装着し、このピン２０６ａを孔２１２ａに挿入し、補助収納部２１０を収納ボックス２００に対して回動可能に配置する。
【００３６】
なお、補助収納部２１０は、直立時には上面開放状態で収納ボックス２００の後方部に連結した状態で配置され、前方へ回動された状態では、収納ボックス２００内に格納される。
【符号の説明】
【００３７】
１      ケース本体
６      商品貯蔵室
６ａ〜６ｆ      商品載置棚
６ｇ      デッキ
２０      冷気導入手段
２１      冷気導入路
２２      冷気導入孔
１０，１００，２００      収納ボックス
１０６      側板
１０６ａ，２０６ａ      ピン
１１０，２１０      補助収納部
１１２ａ      長孔
２１２ａ      孔
【図１】
0005560792.tif 000002
【図２】
0005560792.tif 000003
【図３】
0005560792.tif 000004
【図４】
0005560792.tif 000005
【図５】
0005560792.tif 000006